(57)【要約】      （修正有）【課題】リジェクト紙幣が存在した場合に操作者の手入力作業が必要となる。また、複数の取引を一括処理した場合は、リジェクト紙幣と取引の関係を判別することは困難である。【解決手段】載置された紙幣を受け入れる紙幣受入部１０１と、紙幣を搬送する搬送部２０２と、紙幣を識別する識別部２０１と、識別結果を記憶する記憶部３１と、記録情報３２１が記録された記録媒体３２を受け入れる記録媒体受入部１１１と、記録された記録情報３２１を読み取る記録情報読取部１１２と、前記各部を制御する制御部３０を備え、前記制御部３０は、前記記録媒体受入部１１１によって前記記録媒体３２が受け入れられた場合に、当該記録媒体３２に記録された記録情報３２１を読み取り、当該記録情報３２１と前記識別部１０２の識別結果とを関連付けて前記記憶部３１に記憶することを特徴とする紙幣処理装置１０を提供する。【選択図】図３
2008046841.tif 000002
【特許請求の範囲】
【請求項１】
載置された紙幣を受け入れる紙幣受入部と、
前記紙幣受入部によって受け入れられた紙幣を搬送する搬送部と、
前記搬送部によって搬送された紙幣を識別する識別部と、
前記識別部の識別結果を記憶する記憶部と、
記録情報が記録された記録媒体を受け入れる記録媒体受入部と、
前記記録媒体受入部によって受け入れられた記録媒体に記録された記録情報を読み取る記録情報読取部と、
前記紙幣受入部、前記搬送部、前記識別部、前記記憶部、前記記録媒体受入部及び前記記録情報読取部を制御する制御部を備え、
前記制御部は、前記記録媒体受入部によって前記記録媒体が受け入れられた場合に、当該記録媒体に記録された記録情報を読み取り、当該記録情報と前記識別部の識別結果とを関連付けて前記記憶部に記憶する
ことを特徴とする紙幣処理装置。
【請求項２】
請求項１に記載の紙幣処理装置であって、
紙幣を集積する複数の集積部をさらに備え、
前記制御部は、前記記録媒体受入部によって前記記録媒体が受け入れられた場合に、前記識別部によって識別された紙幣を、当該識別部の識別結果に応じて前記複数の集積部の１つに集積する
ことを特徴とする紙幣処理装置。
【請求項３】
請求項１又は２に記載の紙幣処理装置であって、
前記記録情報は、取引毎に固有の静的情報及び取引の内容を示す動的情報である
ことを特徴とする紙幣処理装置。
【請求項４】
請求項１〜３のいずれか１項に記載の紙幣処理装置であって、
前記記録情報は、符号化された符号情報であって、
前記記録媒体は、前記符号情報が印字された紙状媒体である
ことを特徴とする紙幣処理装置。
【請求項５】
請求項４に記載の紙幣処理装置であって、
前記記録情報読取部は、前記符号情報を読み取ることによって記録情報を認識する
ことを特徴とする紙幣処理装置。
【請求項６】
請求項１〜５のいずれか１項に記載の紙幣処理装置であって、
所定の情報を表示する表示部をさらに備え、
前記制御部は、前記識別部の識別結果及び前記記録情報を前記表示部に表示する
ことを特徴とする紙幣処理装置。
【請求項７】
請求項６に記載の紙幣処理装置であって、
前記制御部は、前記識別部の識別結果と前記記録情報を比較し、比較結果を前記表示部に表示する
ことを特徴とする紙幣処理装置。
【請求項８】
請求項７に記載の紙幣処理装置であって、
前記制御部は、前記比較結果が不一致である場合に、当該比較結果を前記表示部に表示する
ことを特徴とする紙幣処理装置。
【請求項９】
請求項１〜８のいずれか１項に記載の紙幣処理装置であって、
文字、音又は光を出力する報知部をさらに備え、
前記制御部は、前記識別部の識別結果と前記記録情報を比較し、比較結果が不一致である場合に、前記報知部を制御する
ことを特徴とする紙幣処理装置。
【請求項１０】
請求項１〜９のいずれか１項に記載の紙幣処理装置であって、
前記制御部は、前記識別部の識別結果と前記記録情報を比較し、比較結果が不一致である場合に、当該比較結果を前記記憶部に記憶する
ことを特徴とする紙幣処理装置。
【請求項１１】
請求項１〜１０のいずれか１項に記載の紙幣処理装置であって、
操作者からキー入力を受け付けるキー入力部をさらに備え、
前記制御部は、前記キー入力部からキー入力があった場合に、当該キー入力に基づいて前記記憶部に記憶された記録情報を確定し、削除し、又は変更する
ことを特徴とする紙幣処理装置。
【請求項１２】
請求項１１に記載の紙幣処理装置であって、
前記制御部は、前記キー入力が完了キーであった場合に、前記記憶部に記憶された記録情報を確定し、前記記録媒体受入部からの記録媒体の取り出しを可能とする
ことを特徴とする紙幣処理装置。
【請求項１３】
請求項１１に記載の紙幣処理装置であって、
前記制御部は、前記キー入力が取消キーであった場合に、前記記憶部に記憶された記録情報を削除し、前記記録媒体受入部からの記録媒体の取り出しを可能とする
ことを特徴とする紙幣処理装置。
【請求項１４】
請求項１〜１３のいずれか１項に記載の紙幣処理装置であって、
前記制御部は、前記記録媒体受入部によって記録媒体が受け入れられた場合にのみ、前記各部を制御する
ことを特徴とする紙幣処理装置。
【請求項１５】
請求項１〜１４のいずれか１項に記載の紙幣処理装置であって、
前記制御部は、前記記録媒体受入部によって前記記録媒体が受け入れられた場合であって、当該記録媒体に記録された記録情報に対応する情報が前記記憶部に記憶されていた場合は、前記識別部の識別結果に基づいて当該情報を更新する
ことを特徴とする紙幣処理装置。
【請求項１６】
記録情報が記録された記録媒体を受け入れるステップと、
前記受け入れられた記録媒体に記録された記録情報を読み取るステップと、
載置された紙幣を受け入れるステップと、
前記受け入れられた紙幣を識別するステップと、
前記読み取られた記録情報と前記識別するステップの識別結果を関連付けて記憶するステップを含む
ことを特徴とする紙幣処理方法。
【発明の詳細な説明】
【技術分野】
【０００１】
本発明は、紙幣処理装置及び紙幣処理方法に関し、特に、複数の取引を一括して処理する場合の手入力作業を軽減させる紙幣処理装置及び紙幣処理方法に関する。
【背景技術】
【０００２】
近年、紙幣処理装置の処理能力向上に伴い、複数の取引を一括して処理できる紙幣処理装置が求められている。
【０００３】
従来は、複数の取引を一括して処理する場合に、取引毎に取引を識別する情報を操作者が手入力する必要があった。しかし、手入力作業に要する時間は紙幣処理に要する時間より多かった。従って、紙幣処理装置の処理能力を向上させたとしても、手入力作業に要する時間がボトルネックとなり、結果的に、紙幣処理装置の生産性を大きく向上させるには至っていなかった。
【０００４】
これに対して、特許文献１及び特許文献２に示された技術がある。この技術は、複数の取引を行う場合に、各取引に固有の情報を記録したセパレータカードを挿入することによって、紙幣を取り込む際に取引を識別する技術である。
【０００５】
しかし、特許文献１及び特許文献２に示された技術では、リジェクト紙幣（例えば、損傷等が原因で計数できない紙幣）が存在した場合、リジェクトされた紙幣については取引に含まれないため、取り込み結果と実際の取引内容が一致しないことになる。この場合は、操作者が手入力作業を行って、リジェクト紙幣を考慮して取り込み結果を修正する必要があった。
【特許文献１】特開２００６−９９３９１号公報
【特許文献２】特表２０００−５０３９５６号公報
【発明の開示】
【発明が解決しようとする課題】
【０００６】
特許文献１及び特許文献２に示された技術では、リジェクト紙幣が存在した場合に操作者の手入力作業が必要となる。
【０００７】
さらに、一般の紙幣処理装置では、リジェクト紙幣の返却口は１つしか設けられていないので、複数の取引において返却されたリジェクト紙幣が１つの返却口に混在する。この場合は、どのリジェクト紙幣がどの取引のものであるか判別することは困難であり、確認作業に要する時間が多大なものとなる。
【課題を解決するための手段】
【０００８】
本発明の第１の態様によれば、載置された紙幣を受け入れる紙幣受入部と、前記紙幣受入部によって受け入れられた紙幣を搬送する搬送部と、前記搬送部によって搬送された紙幣を識別する識別部と、前記識別部の識別結果を記憶する記憶部と、記録情報が記録された記録媒体を受け入れる記録媒体受入部と、前記記録媒体受入部によって受け入れられた記録媒体に記録された記録情報を読み取る記録情報読取部と、前記紙幣受入部、前記搬送部、前記識別部、前記記憶部、前記記録媒体受入部及び前記記録情報読取部を制御する制御部を備え、前記制御部は、前記記録媒体受入部によって前記記録媒体が受け入れられた場合に、当該記録媒体に記録された記録情報を読み取り、当該記録情報と前記識別部の識別結果とを関連付けて前記記憶部に記憶することを特徴とする紙幣処理装置が提供される。
【０００９】
本発明の第２の態様によれば、記録情報が記録された記録媒体を受け入れるステップと、前記受け入れられた記録媒体に記録された記録情報を読み取るステップと、載置された紙幣を受け入れるステップと、前記受け入れられた紙幣を識別するステップと、前記読み取られた記録情報と前記識別するステップの識別結果を関連付けて記憶するステップを含むことを特徴とする紙幣処理方法が提供される。
【発明の効果】
【００１０】
本発明によれば、複数の取引を一括して処理する場合に、リジェクト紙幣の有無によらず、操作者の手入力作業を軽減し、かつ、作業の管理を容易化することができる。
【発明を実施するための最良の形態】
【００１１】
以下に、図面を参照して、本発明の実施例を説明する。なお、以下に示された実施例は一例であって、本発明を限定するものではない。
【実施例１】
【００１２】
図１は、紙幣処理装置１０及び記録媒体読取装置１１の外部構造を示す斜視図である。
【００１３】
紙幣処理装置１０は、紙幣受入部１０１、返却部１０２、集積部１０３、報知部１０４及び操作表示部１０５を含む。
【００１４】
紙幣受入部１０１は、操作者によって載置された紙幣を装置内に受け入れる機構を有する。返却部１０２は、紙幣受入部１０１によって受け入れられた紙幣のうち、リジェクト紙幣（例えば、識別不能紙幣、偽券）を返却するための部分である。集積部１０３は、紙幣受入部１０１によって受け入れられた紙幣を集積する機構を有する。本実施例では、金種毎に集積する３つの集積部１０３ａ〜ｃから成る。報知部１０４は、集積部１０３に対応して設けられ、操作者に対して報知する必要がある場合に文字、音又は光を出力する機構を有する。本実施例では、集積部１０３ａ〜ｃに対応して、報知部１０４ａ〜ｃから成る。操作表示部１０５は、操作者からの指示を受け付けるためのキー入力部及び操作者に対して情報を表示するための表示部を有する。なお、集積部１０３及び報知部１０４の数はいくつでも良い。
【００１５】
記録媒体読取装置１１は、記録媒体受入部１１１、記録媒体読取部１１２（図示せず）、完了キー１１３、取消キー１１４及びテンキー１１５を含み、接続線１２を介して紙幣処理装置１０と接続される。
【００１６】
記録媒体受入部１１１は、操作者によって挿入された記録媒体を装置内に受け入れる機構を有する。記録媒体読取部１１２は、記録媒体受入部１１１によって受け入れられた記録媒体に記録された記録情報を読み取る機構を有する。完了キー１１３、取消キー１１４及びテンキー１１５は、操作者の指示を受け付けるためのものである。なお、テンキー１１５は、操作者の任意の指示を受け付けるためのものであって、数字キーに限られるものではない。
【００１７】
図２は、紙幣処理装置１０の内部構造を示す概略図である。
【００１８】
紙幣処理装置１０は、識別部２０１及び搬送部２０２を有する。
【００１９】
識別部２０１は、紙幣受入部１０１によって受け入れられた紙幣の「金種」及び「正券か否か」を識別する機構を有する。搬送部２０２は、紙幣受入部１０１から返却部１０２又は集積部１０３へ紙幣を搬送する機構を有する。
【００２０】
図３は、紙幣処理装置１０及び記録媒体読取装置１１の機能を示すブロック図である。
【００２１】
制御部３０は、紙幣受入部１０１、返却部１０２、集積部１０３、報知部１０４、操作表示部１０５、識別部２０１及び搬送部２０２に動作指示を行う。紙幣受入部１０１、返却部１０２、集積部１０３、報知部１０４、操作表示部１０５、識別部２０１及び搬送部２０２は、制御部３０からの動作指示に従って動作する。また、制御部３０は、記憶部制御手段３０１、記録情報取得手段３０２及び比較手段３０３を有する。
【００２２】
記憶部制御手段３０１は、紙幣処理装置１０が有する記憶部３１との間で、データの読み取り及び書き込みを行う。記録情報取得手段３０２は、記録媒体読取装置１１が有する記録媒体読取部１１２によって読み取られた記録情報を取得する。比較手段３０３は、記録情報取得手段３０２によって取得された記録情報３２１と、記憶部３１に記憶された一時記憶情報３１２を比較する。
【００２３】
記憶部３１は、記憶情報３１１、一時記憶情報３１２及び差異情報３１３を含む様々な情報を記憶することができる。
【００２４】
記録媒体３２は、記録情報３２１を含む様々な情報を記憶することができる。
【００２５】
制御部３０は、例えば、中央演算処理装置（ＣＰＵ）である。記憶部３１は、例えば、ハードディスクである。記録媒体３２は、例えば、フラッシュメモリ又は符号情報が印字された紙状媒体である。符号情報は、例えば、バーコード又は任意の形式で印字された文字若しくは記号である。記録情報読取部１１２は、例えば、バーコードリーダ又は光学式文字読取装置（ＯＣＲ）である。
【００２６】
図４は、記憶部３１及び記録媒体３２に記憶される情報の一例である。
【００２７】
図４（ａ）は、記録媒体３２に記録される記録情報３２１の一例である。記録情報３２１は、取引固有情報（静的情報）と取引内容情報（静的情報）から成る。取引固有情報は、取引を特定するための情報であって、取引開始日時、取引終了日時、取引ＩＤ、取引口座番号、取引処理機ＩＤ及び取引管理者ＩＤを含む。取引内容情報は、取引の内容を示す情報であって、金種毎紙幣枚数及び取引金額を含む。記録情報３２１に含まれる取引固有情報及び取引内容情報は、取引が完了するまで書き換え不可能（静的情報）とし、取引完了時に書き換え可能（動的情報）としても良い。
【００２８】
図４（ｂ）は、記憶部３１に記憶される記憶情報３１１及び一時記憶情報３１２の一例である。記憶情報３１１及び一時記憶情報３１２は、取引固有情報（静的情報）と識別内容情報（動的情報）から成る。取引固有情報は、記録情報３２１と同じ構成である。識別内容情報は、識別部２０１による識別結果である金種毎紙幣枚数、返却枚数及び取引金額を含む。識別内容情報は、書き換え可能である。
【００２９】
図４（ｃ）は、差異情報３１３の一例である。差異情報３１３は、取引固有情報（静的情報）と差異内容情報（動的情報）から成る。取引固有情報は、記録情報３２１と同じ構成である。差異内容情報は、比較手段３０３による比較結果（差異の内容）を示す情報であって、金種毎差異枚数及び差異金額を含む。差異内容情報は、書き換え可能である。
【００３０】
図５は、取引を処理する場合における本発明に係る制御部３０の処理を示すフローチャートである。
【００３１】
はじめに、操作者によって、紙幣受入部１０１に複数金種が混在した紙幣の束が載置され、操作表示部１０５の所定のキーが押下された（取引の処理を開始する要求がなされた）場合、記録媒体モードが設定されたか否かを判断する（Ｓ５０１）。
【００３２】
記録媒体モードが設定された場合は（Ｓ５０１−Ｙｅｓ）、記録媒体受入部１１１によって記録媒体３２が受け入れられるまで待機する（Ｓ５０２）。記録媒体受入部１１１によって記録媒体３２が受け入れられた場合は（Ｓ５０２−Ｙｅｓ）、記録媒体読取部１１２に記録情報３２１を読み取らせ、読み取られた記録情報３２１を取得する（Ｓ５０３）。続いて、紙幣受入部１０１に載置された紙幣を受け入れさせる（Ｓ５０４）。続いて、受け入れられた紙幣を識別部２０１に識別させる（Ｓ５０５）。Ｓ５０５で識別される内容は、「金種」及び「正券か否か」である。続いて、Ｓ５０３で取得された記録情報３２１に含まれる取引固有情報とＳ５０５で識別された識別内容情報とを関連付けて、一時記憶情報３１２として記憶部３１に記憶する（Ｓ５０６）。続いて、Ｓ５０５で識別された識別内容情報を操作表示部１０５に表示する（Ｓ５０７）。続いて、Ｓ５０５で識別された識別内容情報に正券である旨が含まれる場合は集積部１０３へ搬送し（Ｓ５０８−Ｙｅｓ、Ｓ５０９）、正券でない旨が含まれる場合は返却部１０２へ搬送する（Ｓ５０８−Ｎｏ、Ｓ５１０）。続いて、紙幣受入部１０１に紙幣が残っている場合はＳ５０４へジャンプし（Ｓ５１１−Ｙｅｓ）、残っていない場合は図６に進む（Ｓ５１１−Ｎｏ）。Ｓ５１１の判断を行うことによって、紙幣受入部１０１における受入処理を優先的に行い、紙幣処理装置１０の全体としての処理効率を向上させることができる。
【００３３】
一方、記録媒体モードが設定されなかった場合は（Ｓ５０１−Ｎｏ）、Ｓ５０４へジャンプする。
【００３４】
図６は、Ｓ５１１でＮｏと判断された場合における制御部３０の処理を示すフローチャートである。
【００３５】
記録媒体モードの場合は（Ｓ６０１−Ｙｅｓ）、完了キー１１３が押下されたか否かを判断する（Ｓ６０２）。完了キー１１３が押下された場合は（Ｓ６０２−Ｙｅｓ）、Ｓ５０６で記憶された一時記憶情報３１２に含まれる取引固有情報が記憶部３１に存在するか否かを判断する（Ｓ６０３）。当該判断は、例えば、取引ＩＤをキーにして記憶部３１を検索することによって行う。取引固有情報が記憶部３１に存在する場合は（Ｓ６０３−Ｙｅｓ）、該当する記憶情報３１１の識別内容情報を更新する（Ｓ６０４）。一方、取引固有情報が記憶部３１に存在しない場合は（Ｓ６０３−Ｎｏ）、一時記憶情報３１２を記憶情報３１１として記憶部３１に記憶する（Ｓ６０５）。
【００３６】
続いて、記録情報３２１の取引内容情報と一時記憶情報３１２の識別内容情報が一致するか否かを判断する（Ｓ６０６）。一致する場合は（Ｓ６０６−Ｙｅｓ）、記録媒体３２を抜取可能状態にする（Ｓ６０９）。一方、一致しない場合は（Ｓ６０６−Ｎｏ）、操作表示部１０５に差異内容情報を表示し（Ｓ６０７）、差異内容情報と取引固有情報とを対応付けて、差異情報３１３として記憶部３１に記憶し（Ｓ６０８）、Ｓ６０９へジャンプする。
【００３７】
続いて、記憶部３１に記憶された一時記憶情報３１２をクリアする（Ｓ６１０）。続いて、記録媒体受入部１１１から記録媒体３２が抜き取られたか否かを判断する（Ｓ６１１）。抜き取られた場合は取引を完了する（Ｓ６１１−Ｙｅｓ）。一方、再度、記録媒体受入部１１１によって記録媒体３２が受け入れられた場合は（Ｓ６１１−Ｎｏ）、Ｓ５０３にジャンプする。
【００３８】
また、Ｓ６０２でＮｏの場合は、取消キー１１４が押下されたか否かを判断する（Ｓ６１２）。取消キー１１４が押下された場合はＳ６０９へジャンプする（Ｓ６１２−Ｙｅｓ）。
【００３９】
また、Ｓ６１２でＮｏの場合は、テンキー１１５が押下されるまで待機する（Ｓ６１３）。テンキー１１５が押下された場合は（Ｓ６１３−Ｙｅｓ）、押下されたキーに基づいて一時記憶情報３１２に含まれる識別内容情報を更新し、Ｓ６０２へジャンプする。
【００４０】
また、記録媒体モードでない場合は（Ｓ６０２−Ｎｏ）、Ｓ６１０へジャンプする。
【００４１】
以上の実施例によれば、記録媒体モードが設定された場合には、記録媒体３２に記録された取引固有情報と識別部２０１により識別された識別内容情報とを関連付けて一時記憶情報３１２又は記憶情報３１１として記憶する（Ｓ５０６）。従って、操作者の手入力作業を軽減することができる。
【００４２】
また、記録媒体モードが設定された場合には、記録媒体受入部１１１に記録媒体３２が挿入されたことが動作条件となるので（Ｓ５０２）、紙幣処理装置１０が処理する紙幣と取引とが１対１の関係となる。従って、リジェクト紙幣の有無も含めて取引固有情報と識別内容情報を記憶することができ、リジェクト紙幣が存在した場合でも操作者の手入力作業を軽減することができる。
【実施例２】
【００４３】
実施例１では、紙幣処理装置１０と記録媒体読取装置１１とが接続線１２を介して接続された例を説明したが、本発明はこれに限られるものではない。紙幣処理装置１０が記録媒体読取装置１１を内蔵する構成、すなわち、紙幣処理装置１０が、記録媒体受入部１１１、記録情報読取部１１２、完了キー１１３、取消キー１１４及びテンキー１１５を有する構成であっても良い。また、接続線１２は、無線であっても良い。
【００４４】
実施例２によれば、紙幣処理装置１０と記録媒体読取装置１１を一体化したので、紙幣処理システム全体としての装置規模を縮小し、広範囲の用途に適用することができる。
【図面の簡単な説明】
【００４５】
【図１】紙幣処理装置１０及び記録媒体読取装置１１の外部構造を示す斜視図である。
【図２】紙幣処理装置１０の内部構造を示す概略図である。
【図３】紙幣処理装置１０及び記録媒体読取装置１１の機能を示すブロック図である。
【図４】（ａ）〜（ｃ）は、記憶部３１に記憶される一時記憶情報３１２及び記憶情報３１１並びに記録媒体３２に記録される記録情報３２１の一例である。
【図５】取引を処理する場合における本発明に係る制御部３０の処理を示すフローチャートである。
【図６】Ｓ５１１でＮｏと判断された場合における制御部３０の処理を示すフローチャートである。
【符号の説明】
【００４６】
１０  紙幣処理装置
１０１  紙幣受入部
１０２  返却部
１０３  集積部
１０４  報知部
１０５  操作表示部
１１  記録媒体読取装置
１２  接続線
２０１  識別部
２０２  搬送部
３０  制御部
３０１  記憶部制御手段
３０２  記録情報取得手段
３０３  比較手段
３１  記憶部
３２  記録媒体
【図１】
2008046841.tif 000003
【図２】
2008046841.tif 000004
【図３】
2008046841.tif 000005
【図４】
2008046841.tif 000006
【図５】
2008046841.tif 000007
【図６】
2008046841.tif 000008